(57)【要約】ユーザ機器（ＵＥ）を開示する。ＵＥは、不連続受信（ＤＲＸ）動作モードのオン持続時間の開始前に、割り当てられた周期的ＣＱＩ報告リソースを使用して、チャネル品質指標（ＣＱＩ）伝送を開始するように構成されている、プロセッサを含む。一実施形態において、プロセッサは、ＤＲＸ動作モードのオン持続時間の前のリードタイムの直前の割り当てられた周期的ＣＱＩ報告リソースを使用してＣＱＩ伝送を開始するように構成され、該リードタイムは、ＵＥから拡張ノードＢ「ＥＮＢ」まで進行するようにＣＱＩ伝送を送信する伝搬遅延と、ＣＱＩ伝送を受信および処理し、それに基づいて通信パラメータを適合させるＥＮＢの処理遅延時間との合計として決定される。
2011518470.tif 000002
【特許請求の範囲】
【請求項１】
不連続受信「ＤＲＸ」動作モードのオフ持続時間中にチャネル品質指標「ＣＱＩ」伝送を停止し、かつ、該「ＤＲＸ」動作モードのオン持続時間の開始前に、割り当てられた周期的ＣＱＩ報告リソースを使用して「ＣＱＩ」伝送を開始するように構成されているプロセッサを備えている、ユーザ機器（ＵＥ）。
【請求項２】
前記プロセッサは、前記ＤＲＸ動作モードの前記オン持続時間の開始の直前の割り当てられた周期的ＣＱＩ報告リソースを使用してＣＱＩ伝送を開始するように構成されている、請求項１に記載のＵＥ。
【請求項３】
前記プロセッサは、前記ＤＲＸ動作モードの前記オン持続時間の前のリードタイムの直前の割り当てられた周期的ＣＱＩ報告リソースを使用してＣＱＩ伝送を開始するように構成され、該リードタイムは、前記ＵＥから拡張ノードＢ「ＥＮＢ」まで進行するように前記ＣＱＩ伝送を送信する伝搬遅延と、該ＣＱＩ伝送を受信および処理し、それに基づいて通信パラメータを適合させる該ＥＮＢの処理遅延時間との合計として決定される、請求項１に記載のＵＥ。
【請求項４】
前記ＥＮＢの前記処理遅延時間は、ほぼ２つのサブフレームの時間分に等しい、請求項３に記載のＵＥ。
【請求項５】
前記プロセッサは、前記ＵＥが起動している場合に、前記オン持続時間または前記オン持続時間よりも長い活動時間の終了時にＣＱＩ伝送を停止するようにさらに構成されている、請求項１から４のいずれか１項に記載のＵＥ。
【請求項６】
前記プロセッサは、再伝送を含む全てのデータが受信された後に、ＣＱＩ伝送を停止するようにさらに構成されている、請求項１から４のうちのいずれか１項に記載のＵＥ。
【請求項７】
前記プロセッサは、再伝送ウィンドウの直後にＣＱＩ伝送を停止するようにさらに構成されている、請求項６に記載のＵＥ。
【請求項８】
前記プロセッサは、前記活動時間または前記オン持続時間の終了時にＣＱＩ伝送を停止し、かつ、前記再伝送ウィンドウの開始前の割り当てられた周期的ＣＱＩ報告リソース中にＣＱＩ伝送を再開するようにさらに構成されている、請求項７に記載のＵＥ。
【請求項９】
前記プロセッサは、前記再伝送ウィンドウの開始の前のリードタイムの直前の割り当てられた周期的ＣＱＩ報告リソース中にＣＱＩ伝送を再開するように構成され、該リードタイムは、前記ＵＥからＥＮＢまで進行するように該ＣＱＩ伝送を送信する伝搬遅延と、該ＣＱＩ伝送を受信および処理し、それに基づいて通信パラメータを適合させる該ＥＮＢの処理遅延時間との合計として決定される、請求項８に記載のＵＥ。
【請求項１０】
前記ＥＮＢの前記処理遅延時間は、ほぼ２つのサブフレームの時間分に等しい、請求項９に記載のＵＥ。
【請求項１１】
ユーザ機器「ＵＥ」から拡張ノードＢ「ＥＮＢ」へ制御信号を伝送する方法であって、
該ＵＥの不連続受信「ＤＲＸ」動作のオン持続時間がスケジュールされる時を決定することと、
該オン持続時間のスケジュールされた開始に先行する、割り当てられた周期的チャネル品質指標「ＣＱＩ」報告リソースを識別することと、
少なくとも別の先行する割り当てられた周期的「ＣＱＩ」報告リソースの時ではなく、識別された該割り当てられた周期的ＣＱＩ報告リソースの時に、周期的ＣＱＩ制御信号伝送を開始することと
を含む、方法。
【請求項１２】
前記オン持続時間の開始に先行する、割り当てられた周期的ＣＱＩ報告リソースを識別することは、該オン持続時間の開始の直前の該割り当てられた周期的ＣＱＩ報告リソースを識別することとしてさらに特徴付けられる、請求項１１に記載の方法。
【請求項１３】
前記オン持続時間の前のリードタイムの直前の割り当てられた周期的ＣＱＩ報告リソースを識別することは、前記ＵＥから前記ＥＮＢまで進行するように前記ＣＱＩ伝送を送信する伝搬遅延と、該ＣＱＩ伝送を受信および処理し、それに基づいて通信パラメータを適合させる該ＥＮＢの処理遅延時間との合計として、該リードタイムを決定することとしてさらに特徴付けられる、請求項１１に記載の方法。
【請求項１４】
前記オン持続時間中に発生する最後の割り当てられた周期的ＣＱＩ報告リソースの後に、周期的ＣＱＩ制御信号伝送を停止することをさらに含む、請求項１１から１３のうちのいずれか１項に記載の方法。
【請求項１５】
前記ＵＥが起動している場合に、活動時間中に発生する最後の割り当てられた周期的ＣＱＩ報告リソースの後に、周期的ＣＱＩ制御信号伝送を停止することをさらに含む、請求項１１から１３のうちのいずれか１項に記載の方法。
【請求項１６】
ＵＥによって実行されると、該ＵＥに、請求項１１から１５のうちのいずれか１項に記載の方法のステップを実装させるコンピュータ実行可能命令を含むコンピュータ可読媒体。
【請求項１７】
拡張ノードＢ「ＥＮＢ」にチャネル品質指標「ＣＱＩ」制御信号を伝送するように構成されているユーザ機器「ＵＥ」であって、
再伝送ウィンドウ中にＣＱＩ制御信号を周期的に伝送し、かつ、活動時間の終了後にＣＱＩ制御信号の伝送を停止するように構成されている構成要素を備えている、ＵＥ。
【請求項１８】
前記構成要素は、前記オン持続時間の開始の直前の割り当てられた周期的ＣＱＩ報告リソース中に、ＣＱＩ制御信号を周期的に伝送し始めるように構成されている、請求項１７に記載のＵＥ。
【請求項１９】
前記構成要素は、前記ＵＥが起動している場合に、前記オン持続時間または前記オン持続時間よりも長い活動時間後にＣＱＩ制御信号の伝送を停止するように構成され、前記再伝送ウィンドウの開始前の割り当てられた周期的ＣＱＩ報告リソース中にＣＱＩ制御信号を周期的に伝送することを再開する、請求項１７または請求項１８に記載のＵＥ。
【請求項２０】
ユーザ機器「ＵＥ」から拡張ノードＢ「ＥＮＢ」へ制御信号を伝送する方法であって、
割り当てられた周期的チャネル品質指標「ＣＱＩ」報告リソースを識別することと、
再伝送ウィンドウ中に周期的ＣＱＩ制御信号を伝送することと、
活動時間の終了を識別することと、
該活動時間の終了に応答して、該ＣＱＩ制御信号の該周期的伝送を停止することと
を含む、方法。
【請求項２１】
前記再伝送ウィンドウの開始の直前に、周期的ＣＱＩ制御信号伝送を提供することをさらに含む、請求項２０に記載の方法。
【請求項２２】
ＵＥによって実施されると、該ＵＥに、請求項２０または請求項１に記載の方法のステップを実装させるコンピュータ実行可能命令を含むコンピュータ可読媒体。
【発明の詳細な説明】
【背景技術】
【０００１】
携帯電話、携帯端末、手持ち式コンピュータ、および類似デバイス等の、無線電気通信能力を伴う容易に運搬可能なデバイスは、本明細書では、ユーザ機器（ＵＥ）と呼ばれる。「ユーザ機器」という用語は、デバイスと、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケーションを含む関連汎用集積回路カード（ＵＩＣＣ）とを指し得、または、そのようなカードを伴わないデバイス自体を指し得る。ＵＥは、第２のＵＥ、電気通信ネットワーク内の何らかの他の要素、サーバコンピュータ等の自動コンピューティングデバイス、または何らかの他のデバイスと通信する場合がある。ＵＥと別の構成要素との間の通信接続は、音声呼出、ファイル転送、または何らかの他の種類のデータ交換を促進する場合があり、そのいずれも、呼出またはセッションと呼ぶことができる。
【０００２】
電気通信技術が発展するにつれて、以前は不可能であったサービスを提供することができる、より先進的なネットワークアクセス機器が導入されてきた。この先進的ネットワークアクセス機器は、例えば、基地局よりもむしろ拡張ノードＢ（ＥＮＢ）、または従来の無線電気通信システムにおける同等機器より高度に進化した他のシステムおよびデバイスを含む場合がある。そのような先進的または次世代機器は、本明細書では、ロングタームエボリューション（ＬＴＥ）機器と呼ばれ得る。
【０００３】
いくつかのＵＥは、パケット交換方式モードで通信する能力を有し、呼出またはセッションの一部分を表すデータストリームは、一意の識別子が与えられるパケットに分割される。次いで、パケットは、異なるパスに沿って、ソースから送信先へと伝送される場合があり、かつ異なる時間に送信先に着信する場合がある。送信先に到達すると、パケットは、識別子に基づいて、そのオリジナルシーケンスに再構築される。ボイスオーバーインターネットプロトコル（ＶｏＩＰ）は、インターネット上でのパケット交換方式ベースの音声通信のための周知のシステムである。「ＶｏＩＰ」という用語は、本明細書では、呼出するために使用される場合がある特定の技術にかかわらず、インターネットを介して接続される任意のパケット交換方式の音声呼出を指す。
【０００４】
無線ＶｏＩＰ呼出の場合、ＵＥとＥＮＢとの間でデータを搬送する信号は、特定の一式の周波数、コード、および時間パラメータ、ならびＥＮＢによって指定される場合がある他の特性を有することができる。特定の一式のそのような特性を有するＵＥとＥＮＢとの間の接続を、リソースと呼ぶことができる。ＥＮＢは、典型的には、それが任意の特定の時に通信している各ＵＥに対して、異なるリソースを確立する。
【発明の概要】
【課題を解決するための手段】
【０００５】
最初に、本開示の１つ以上の実施形態の例証的実装を以下で提供するが、開示されたシステムおよび／または方法は、現在周知であるか、または既存であるかどうかを問わず、任意の数の技術を使用して実装され得ることを理解されたい。本開示は、本明細書で例証および説明される例示的設計および実装を含む、以下で例証される例証的実装、図面、および技術に決して限定されるべきではなく、添付の特許請求の範囲内で、同等物の全範囲とともに修正され得る。
【０００６】
実施形態では、ユーザ機器（ＵＥ）を開示する。ＵＥは、不連続受信（ＤＲＸ）動作モードのオン持続時間の開始前に、割り当てられた周期的ＣＱＩ報告リソース中にチャネル品質指標（ＣＱＩ）伝送を開始するように構成されている、プロセッサを含む。
【０００７】
別の実施形態では、ユーザ機器（ＵＥ）から拡張ノードＢ（ＥＮＢ）へ制御信号を伝送するための方法が提供される。方法は、ＵＥの不連続受信（ＤＲＸ）動作のオン持続時間がスケジュールされる時を決定することと、オン持続時間のスケジュールされた開始に先行する、割り当てられた周期的チャネル品質指標（ＣＱＩ）報告リソースを識別することと、識別された割り当てられた周期的ＣＱＩ報告リソースの時に、周期的ＣＱＩ制御信号伝送を開始することとを含む。
【０００８】
さらに別の実施形態では、ユーザ機器（ＵＥ）が提供される。ＵＥは、拡張ノードＢ（ＥＮＢ）にチャネル品質指標（ＣＱＩ）制御信号を伝送するように構成されている。ＵＥは、再伝送ウィンドウのＣＱＩ報告時間間隔中にＣＱＩ制御信号を周期的に伝送するように、および再伝送ウィンドウの終了に応答して、ＣＱＩ制御信号の伝送を停止するように構成されている、構成要素を含む。
【０００９】
さらに別の実施形態では、ユーザ機器（ＵＥ）から拡張ノードＢ（ＥＮＢ）へ制御信号を伝送するための方法が提供される。方法は、割り当てられた周期的チャネル品質指標（ＣＱＩ）報告リソースを識別することと、再伝送ウィンドウ中に周期的ＣＱＩ制御信号を伝送することとを含む。方法は、再伝送ウィンドウの終了を識別することと、再伝送ウィンドウの終了に応答して、ＣＱＩ制御信号の周期的伝送を停止することとを含む。
【図面の簡単な説明】
【００１０】
ここで、本開示のより完全な理解のために、添付図面および発明を実施するための形態と関連して解釈される、以下の図面の簡単な説明を参照し、図中、類似参照数字は、類似部品を表す。
【図１】図１は、本開示の実施形態による、電気通信システムのブロック図である。
【図２】図２は、本開示の実施形態による、ユーザ機器のオン持続時間およびオフ持続時間を図示する略図である。
【図３ａ】図３ａは、本開示の実施形態による、オン持続時間に対する周期的ＣＱＩ報告リソースおよびオン持続時間と関連する再伝送ウィンドウの説明図である。
【図３ｂ】図３ｂは、本開示の実施形態による、オフにされたいくつかのチャネル品質指標伝送を描写する、オン持続時間に対する周期的チャネル品質指標報告リソースおよびオン持続時間と関連する再伝送ウィンドウの説明図である。
【図３ｃ】図３ｃは、本開示の実施形態による、オフにされたいくつかのチャネル品質指標伝送を描写する、オン持続時間に対する周期的チャネル品質指標報告リソースおよびオン持続時間と関連する再伝送ウィンドウの説明図である。
【図４ａ】図４ａは、本開示の実施形態による、拡張ノードＢのアップリンクサブフレームおよびダウンリンクサブフレームに対する周期的チャネル品質指標報告リソースの説明図である。
【図４ｂ】図４ｂは、本開示の実施形態による、オフにされたいくつかのチャネル品質指標伝送を描写する、オン持続時間に対する周期的チャネル品質指標報告リソースおよびオン持続時間と関連する再伝送ウィンドウの説明図である。
【図５ａ】図５ａは、本開示の実施形態による、チャネル品質指標制御信号を伝送する方法の説明図である。
【図５ｂ】図５ｂは、本開示の実施形態による、チャネル品質指標制御信号を伝送する別の方法の説明図である。
【図６】図６は、本開示の種々の実施形態のうちのいくつかに対して動作可能なユーザ機器を含む、無線通信システムの略図である。
【図７】図７は、本開示の種々の実施形態のうちのいくつかに対して動作可能なユーザ機器のブロック図である。
【図８】図８は、本開示の種々の実施形態のうちのいくつかに対して動作可能なユーザ機器上で実装され得る、ソフトウェア環境の略図である。
【図９】図９は、本開示のいくつかの実施形態を実装するために好適な例示的汎用コンピュータシステムを図示する。
【発明を実施するための形態】
【００１１】
図１は、ＥＮＢ２０または同様の構成要素と通信することが可能なＵＥ１０を含む、無線電気通信システム１００の実施形態を図示する。種々の種類の情報の伝送は、ＵＥ１０とＥＮＢ２０との間で行うことができる。例えば、ＵＥ１０は、ＥＮＢ２０に、ＶｏＩＰデータパケット、ならびに、ウェブ閲覧、電子メール送信、および他のユーザアプリケーションに関する情報を含むデータパケット等の、種々のアプリケーション層データを送信する場合があり、その全ては、ユーザプレーンデータと呼ばれ得る。ＵＥのアプリケーション層に関する他の種類の情報が、当業者に周知であろう。そのような情報を含む任意の信号は、本明細書ではデータ信号３０と呼ばれる。データ信号３０と関連する情報は、本明細書ではユーザプレーンデータと呼ばれる。
【００１２】
ＵＥ１０はまた、ＥＮＢ２０に、第１層スケジューリング要求、第１層制御信号伝達（ＣＱＩ、ＮＡＣＫ／ＡＣＫ等）、第２層無線リソース制御（ＲＲＣ）メッセージおよび移動度測定メッセージ、および他の制御メッセージ等の、種々の種類の制御信号伝達を送信する場合もあり、その全ては、制御プレーンデータと呼ばれ得る。ＵＥ１０は、典型的には、呼出を開始または維持するように、必要に応じてそのようなメッセージを生成する。任意のそのような信号は、本明細書では制御信号４０と呼ばれる。制御信号４０と関連する情報は、同様に、本明細書では制御プレーンデータと呼ばれる。
【００１３】
チャネル品質指標（ＣＱＩ）信号および／またはメッセージが、これらの制御信号の中に含まれる。ＣＱＩ制御信号は、ＵＥ１０とＥＮＢ２０との間の無線チャネルの現状の指標を提供するように、ＵＥ１０からＥＮＢ２０に伝送されるメッセージであり得る。ある実施形態では、ＥＮＢ２０は、ＥＮＢ２０およびＵＥ１０の一方または両方によって採用される無線通信技術を適合させるために、ＣＱＩ制御信号を使用し得る。例えば、ＥＮＢ２０は、変調モード、変調配置、変調ビットレート、符号化速度、冗長バージョン、インターリービングモード、および少なくとも部分的にはＣＱＩ制御信号に基づく他の通信パラメータのうちの１つ以上を決定し得る。ある実施形態では、ＣＱＩ制御信号は、割り当てられた周期的ＣＱＩ報告リソースを使用して、周期的なスケジュールされた時間間隔でＵＥ１０によって伝送され得る。ある実施形態では、ＥＮＢ２０は、約２つのサブフレーム内で、動作パラメータ、例えば、変調ビットレートを更新し得る。別の実施形態では、ＣＱＩ制御信号の受信とサブフレームシーケンスとの間の整合に応じて、およびＵＥ１０とＥＮＢ２０との間の信号伝搬遅延のＥＮＢ２０における処理に応じて、より多いまたはより少ない遅延が、ＣＱＩ制御信号を伝送するＵＥ１０と無線通信パラメータを更新または適合させるＥＮＢ２０との間で発生し得る。
【００１４】
場合によっては、専用チャネルが、ＵＥ１０とＥＮＢ２０との間に存在する場合があり、それを介して制御プレーンデータが送信され得、またはデータを送信する要求が送信され得る。他の場合においては、ランダムアクセスチャネル（ＲＡＣＨ）が、これらの目的で使用され得る。つまり、場合によっては、リソースが制御プレーンデータを送信するための要求が、ＲＡＣＨを介して送信され得、他の場合においては、制御プレーンデータ自体が、ＲＡＣＨを介して送信される場合がある。
【００１５】
ＵＥ１０がＥＮＢ２０に制御信号４０を送信すると、ＥＮＢ２０は、ＵＥ１０に応答信号または他の制御信号を返信する場合がある。例えば、ＵＥ１０がＥＮＢ２０に移動度測定メッセージを送信する場合、ＥＮＢ２０は、ＵＥ１０に確認メッセージまたは何らかの他のハンドオーバ関連制御メッセージを送信することによって応答する場合がある。ＵＥ１０によって送信された制御信号４０へのＥＮＢ２０による任意のそのような応答は、本明細書では応答信号５０と呼ばれる。
【００１６】
バッテリ電力を節約するために、ＵＥ１０は、高電力モードと低電力モードとを周期的に繰り返す。例えば、不連続受信（ＤＲＸ）として知られている技術を使用して、ＵＥ１０は、比較的高い電力消費の短い期間に周期的に入り、その間にデータを受信することができる。そのような期間は、本明細書ではオン持続時間と呼ばれる。オン持続時間の合間に、ＵＥ１０は、電力消費が低減され、データが受信されない、より長い期間に入る。そのような期間は、本明細書ではオフ持続時間と呼ばれる。節電と性能との間のバランスは、オフ持続時間を可能な限り長くする一方で、ＵＥ１０が適正にデータを受信するために、依然としてオン持続時間を十分長く保つことによって、達成することができる。
【００１７】
「ＤＲＸ」という用語は、一般的に、不連続受信を指すために使用される。混乱を回避するために、「オン持続時間」および「オフ持続時間」という用語も、データを受信するＵＥの能力を指すために、本明細書で使用され得る。オン持続時間のほかに、活動時間は、ＵＥが起動されている時間を定義し、それは、起こり得る非活動タイマ稼働により、オン持続時間よりも長くなり得、非活動タイマ稼働は、ＵＥを追加時間にわたって起動状態に保つ。追加情報が、参照することにより本明細書に組み込まれる、３ＧＰＰ  ＴＳ  ３６．３２１で提供されている。
【００１８】
図２は、ＵＥ１０のオン持続時間およびオフ持続時間の理想図を図示する。より高い電力使用量を伴うオン持続時間２１０が、より低い電力使用量を伴うオフ持続時間２２０と時間的に交互に起こる。従来、ＵＥ１０は、オン持続時間２１０の間のみにデータを受信し、オフ持続時間２２０の間にはデータを受信しない。一例として、１つのオン持続時間２１０および１つのオフ持続時間２２０のサイクル全体は、２０ミリ秒持続するべきであると決定される場合がある。このサイクルにおいて、情報の有意な損失を伴わずにＵＥ１０がデータを受信するために、５ミリ秒のオン持続時間２１０が十分であると決定される場合がある。そして、オフ持続時間２２０は、１５ミリ秒持続する。
【００１９】
オン持続時間２１０およびオフ持続時間２２０のサイズの決定は、アプリケーションのサービスの質（ＱｏＳ）パラメータに基づく場合がある。例えば、ＶｏＩＰ呼出は、電子メール伝送より高い質のレベル（例えば、少ない遅延）を必要とする場合がある。呼出が設定されている時に、ＵＥ１０およびＥＮＢ２０は、最大許容遅延、最大許容パケット損失、および同様の考慮事項に基づいてＱｏＳが協議される、サービスネゴシエーション段階に入る。ＵＥ１０のユーザが加入するサービスのレベルも、ＱｏＳネゴシエーションにおける因子となる場合がある。呼出に対するＱｏＳパラメータが確立されると、ＥＮＢ２０は、そのＱｏＳレベルに基づいてオン持続時間２１０およびオフ持続時間２２０の適切なサイズを設定する。
【００２０】
ここで図３ａを参照して、ＣＱＩ制御信号伝送について論議する。複数の割り当てられた周期的ＣＱＩ報告時間間隔２５０が、オン持続時間２１０および再伝送ウィンドウ２３０に対して示されている。いくつかの状況では、割り当てられた周期的ＣＱＩ報告時間間隔２５０は、割り当てられた周期的ＣＱＩ報告リソースと呼ばれ得る。描写されたＣＱＩ報告時間間隔２５０は、第１のＣＱＩ報告時間間隔２５０ａ、第２のＣＱＩ報告時間間隔２５０ｂ、第３のＣＱＩ報告時間間隔２５０ｃ、第４のＣＱＩ報告時間間隔２５０ｄ、第５のＣＱＩ報告時間間隔２５０ｅ、第６のＣＱＩ報告時間間隔２５０ｆ、第７のＣＱＩ報告時間間隔２５０ｇ、第８のＣＱＩ報告時間間隔２５０ｈ、第９のＣＱＩ報告時間間隔２５０ｉ、第１０のＣＱＩ報告時間間隔２５０ｊ、第１１のＣＱＩ報告時間間隔２５０ｋ、および第１２のＣＱＩ報告時間間隔２５０ｌを含む。ネットワーク内の割り当てられた周期的ＣＱＩ報告時間間隔２５０は、継続するシーケンスであり、多くのＣＱＩ報告時間間隔２５０が第１のＣＱＩ報告時間間隔２５０ａに先行し、多くのＣＱＩ報告時間間隔２５０が第１２のＣＱＩ報告時間間隔２５０ｌに続くことが理解される。実施形態では、ＵＥ１０は、割り当てられたＣＱＩ報告リソースを使用して、各ＣＱＩ報告時間間隔２５０中にＣＱＩ制御信号を伝送し得る。再伝送ウィンドウ２３０は、ＵＥ１０がオン持続時間中に適正に受信できなかったデータをＥＮＢ２０がＵＥ１０に再伝送するための機会を提供する。
【００２１】
ここで図３ｂを参照して、ＣＱＩ制御信号伝送についてさらに論議する。実施形態では、ＵＥ１０が全てのＣＱＩ報告時間間隔２５０でＣＱＩ制御信号を伝送することは、非効率的となる場合がある。具体的には、ＥＮＢ２０がＵＥ１０に伝送していない場合のＣＱＩ報告時間間隔のうちのいくつかの間、ＥＮＢ２０が、その時にＵＥ１０と通信するための通信パラメータを適合させる必要がないため、ＵＥ１０がＥＮＢ２０にＣＱＩ制御信号を送信することに関連する利益がない場合がある。矢印付き鎖線区分によって図３ｂで描写されるように、ＵＥ１０は、第１のＣＱＩ報告時間間隔２５０ａの間、および第９のＣＱＩ報告時間間隔２５０ｉから第１２のＣＱＩ報告時間間隔２５０ｌの間に、ＣＱＩ制御信号の伝送をオフにするか、または停止し、それにより、そうでなければＣＱＩ報告時間間隔２５０ａ、２５０ｉ、２５０ｊ、２５０ｋ、および２５０ｌの間にＣＱＩ制御信号を伝送することによって消費されていたであろう電力を節約し得る。ＵＥ１０は、オン持続時間２１０のスケジュールを分析し、オン持続時間２１０の開始の前にＣＱＩ報告時間間隔２５０のうちの１つで伝送することを決定する。オン持続時間２１０の開始の前にＣＱＩ制御信号伝送を伝送し始めることによって、ＥＮＢ２０は、ＣＱＩ情報を処理するようにＵＥ１０からＣＱＩ制御信号を受信し、オン持続時間２１０の開始までに通信パラメータを適合させる方法を決定することが可能であり得る。実施形態では、ＵＥ１０は、ＣＱＩ制御信号伝送を開始するために、オン持続時間２１０の直前に先行するＣＱＩ報告時間間隔２５０を選択する。いくつかの状況では、これは、ＣＱＩ制御信号伝送を再開することと呼ばれ得る。実施形態では、ＵＥ１０は、再伝送ウィンドウ２３０が終了するまでＣＱＩ制御信号を周期的に伝送し続け、次いで、ＵＥ１０は、ＣＱＩ制御信号の伝送を停止する。一例として、図３ｂでは、ＵＥ１０は、第２のＣＱＩ報告時間間隔２５０ｂから第８のＣＱＩ報告時間間隔２５０ｈの間にＣＱＩ制御信号を周期的に伝送するものとして描写されている。
【００２２】
ここで図３ｃを参照して、ＣＱＩ制御信号伝送についてさらに論議する。オン持続時間２１０が終わったか、または停止した後、かつ再伝送ウィンドウ２３０が開始する前に、ＵＥ１０がＣＱＩ制御信号を伝送することは、非効率的となる場合がある。ＵＥ１０は、オン持続時間２１０のスケジュールを分析し、オン持続時間２１０が終了した後、または活動時間の終了時に、ＣＱＩ制御信号の周期的伝送をオフにするか、停止し得る。例えば、図３ｃに描写されるように、ＵＥ１０は、第２のＣＱＩ報告時間間隔２５０ｂから第４のＣＱＩ報告時間間隔２５０ｄの間にＣＱＩ制御信号の周期的伝送をオンにし、第５のＣＱＩ報告時間間隔２５０ｅから第６のＣＱＩ報告時間間隔２５０ｆの間にＣＱＩ制御信号の周期的伝送をオフにし、第７のＣＱＩ報告時間間隔２５０ｇから第８のＣＱＩ報告時間間隔２５０ｈの間にＣＱＩ制御信号の周期的伝送をオンにするか、または再開し、次いで、第９のＣＱＩ報告時間間隔２５０ｉにおいてＣＱＩ制御信号の期的伝送をオフにし得る。
【００２３】
ここで図４ａを参照して、ＣＱＩ報告時間間隔２５０とＥＮＢの複数のアップリンクサブフレームおよびダウンリンクサブフレームとの間のタイミング関係について論議する。実用的な無線ネットワークでは、いくつかの時間のずれが、ＣＱＩ制御信号を伝送するＵＥ１０と、ＣＱＩ制御信号に基づいて通信パラメータを適合せさせるＥＮＢ２０との間で観察される。ＣＱＩ制御信号を含む、ＵＥ１０によって発信される高周波信号が、無線チャネルを通してＥＮＢ２０に伝搬するために要する時間によって、伝搬遅延が導入される。ＥＮＢ２０処理は、アップリンクサブフレーム２６０およびダウンリンクサブフレーム２７０、例えば、第１のアップリンクサブフレーム２６０ａ、第２のアップリンクサブフレーム２６０ｂ、第３のアップリンクサブフレーム２６０ｃ、第１のダウンリンクサブフレーム２７０ａ、第２のダウンリンクサブフレーム２７０ｂ、および第３のダウンリンクサブフレーム２７０ｃに区分化される。アップリンクサブフレーム２６０の縁およびダウンリンクサブフレーム２７０の縁のタイミングは、伝搬遅延により、整合しない場合がある。一例として、第３のＣＱＩ報告時間間隔２５０ｃ中に伝送されるＣＱＩ制御信号は、第１のアップリンクサブフレーム２６０ａの中でＥＮＢ２０によって受信され、第２のアップリンクサブフレーム２６０ｂの中で通信パラメータを適合させるようにＥＮＢ２０によって処理され得、新たに適合された通信パラメータは、第３のダウンリンクサブフレーム２７０ｃ中にＵＥ１０と通信するためにＥＮＢ２０によって採用され得る。ある実施形態では、最高条件のサブフレーム遅延は、約２つのサブフレームである。別の実施形態では、サブフレーム遅延は、約３つのサブフレームまたは約４つのサブフレームであり得る。他の実施形態では、サブフレーム遅延は、より大きいか、またはより小さくてもよい。
【００２４】
ここで図４ｂを参照して、ＣＱＩ制御信号伝送についてさらに論議する。実施形態では、ＵＥ１０は、オン持続時間２１０の前および再伝送ウィンドウ２３０の前にＣＱＩ制御信号の周期的伝送を開始する時を決定する際に、図４ａを参照して上記で論議される時間のずれを考慮に入れる。一例として、図４ｂで描写されるように、第３のＣＱＩ報告時間間隔２５０ｃでＣＱＩ制御信号の周期的伝送を開始することにより、オン持続時間２１０の開始の前に、ＥＮＢ２０が通信パラメータを受信し、処理し、適合するための十分なリードタイムを提供しない場合がある。ＵＥ１０が第３のＣＱＩ報告時間間隔２５０ｃでＣＱＩ制御信号の周期的伝送を開始する場合、第１のダウンリンクサブフレーム、また、おそらく第２のダウンリンクサブフレームは、新規ＣＱＩ制御信号に基づく適合から利益を得ない場合があり、ＵＥ１０とＥＮＢ２０との間のあまり効率的ではない通信動作が生じる場合がある。例えば、不必要に低い変調ビットレートおよび／または低い符号化速度が採用され、それにより、無線チャネルのスループットを減少させる場合がある。代替として、不適切に高い変調ビットレートおよび／または高い符号化速度が採用される場合があり、ＵＥ１０は、ＥＮＢ２０によって送信されたデータを受信しない場合があり、ＥＮＢ２０は、ＨＡＲＱを使用して、データのうちのいくつかを再送信しなければならない場合があり、再度、おそらく、無線チャネルのスループットを減少させ、再伝送をリッスンするように起動するためのＵＥ電力消費を増加させる。
【００２５】
描写されるように、ＵＥ１０は、第２のＣＱＩ報告時間間隔２５０ｂでＣＱＩ制御信号の周期的伝送を開始し、それにより、オン持続時間２１０の開始までにＥＮＢ２０がＣＱＩ制御信号を回収し、ＣＱＩ制御信号を処理し、通信パラメータを適合させることを可能にするのに十分な時間を提供する。同様に、ＵＥ２０は、再伝送ウィンドウ２３０の開始の前に、ＣＱＩ制御信号を回収し、ＣＱＩ制御信号を処理し、通信パラメータを適合させるためにＥＮＢ２０によって必要とされる時間を考慮して、再伝送ウィンドウ２３０の前にＣＱＩ制御信号の周期的伝送を開始または再開する時を決定する。
【００２６】
ここで図５ａを参照して、ＣＱＩ制御信号伝送を制御するためのＵＥ１０の方法３００について論議する。ブロック３０５では、ＵＥ１０は、次のオン持続時間２１０がスケジュールされる時を決定する。ブロック３１０では、ＵＥ１０は、オン持続時間２１０と関連する再伝送ウィンドウ２３０がスケジュールされる時を決定する。ブロック３１５では、ＵＥ１０は、オン持続時間２１０の開始に先行するＣＱＩ報告時間間隔２５０を識別または選択する。ある実施形態では、ＵＥ１０は、オン持続時間２１０の開始に先行する任意のＣＱＩ報告時間間隔２５０を選択し得る。別の実施形態では、ＵＥ１０は、オン持続時間２１０の開始の直前に先行するＣＱＩ報告時間間隔２５０を選択し得る。この実施形態の挙動を説明する別の方法として、ＵＥ１０は、オン持続時間２１０の開始の前に発生する最後のＣＱＩ報告時間間隔２５０を選択し得る。別の実施形態では、ＵＥ１０は、オン持続時間２１０に先行するＣＱＩ報告時間間隔２５０を選択するように、ＥＮＢ２０による高周波信号伝搬および処理の時間のずれを考慮する。ある実施形態では、ＵＥ１０は、ほぼ２つのサブフレームの時間分を消費する時間のずれを推定し得る。別の実施形態では、ＵＥ１０は、ほぼ３つのサブフレームまたは４つのサブフレームの時間分を消費する時間のずれを推定し得る。状況によっては、オン持続時間２１０の合間のタイミング整合に応じて、ＵＥ１０は、オン持続時間２１０の開始の前に発生する最後のＣＱＩ報告時間間隔２５０を選択し得、または、ＵＥ１０は、オン持続時間２１０の開始の前に発生する最後のＣＱＩ報告時間間隔２５０の１つ前の間隔を選択し得る。
【００２７】
ブロック３２０では、ＵＥ１０は、選択されたＣＱＩ報告時間間隔２５０でＣＱＩ制御信号を伝送する。ある実施形態では、ブロック３２０の処理は、待機プロセスまたは休止プロセスを含み得、プロセス３００は、適切な時に、例えば、選択されたＣＱＩ報告時間間隔２５０の時に、ブロック３２０を実行するのみである。ブロック３２５では、オン持続時間２１０と関連する再伝送ウィンドウ２３０が完了していなければ、方法３００はブロック３２０に戻る。ブロック３２０および３２５を通してループすることによって、ＵＥ１０は、ＥＮＢ２０にＣＱＩ制御信号を周期的に伝送する。ある実施形態では、ＵＥ１０は、ＣＱＩ制御信号の各新規伝送について、ＣＱＩ値および／または情報を再決定することが理解される。ＵＥ１０は、割り当てられたＣＱＩ報告リソースにわたって、ほぼＣＱＩ報告時間間隔２５０の割り当てられた時間にＣＱＩ制御信号を伝送することも理解される。
【００２８】
ブロック３２５では、オン持続時間２１０と関連する再伝送ウィンドウ２３０が完了していれば、処理はブロック３０５に戻る。これは、方法３００がブロック３２０に戻るまで、ＣＱＩ制御信号の周期的伝送を停止することを含むと理解することができる。
【００２９】
ここで図５ｂを参照して、ＣＱＩ制御信号伝送を制御するためのＵＥ１０の方法３５０について論議する。ブロック３５５では、ＵＥ１０は、次のオン持続時間２１０が開始する時、終了する時を決定する。ブロック３６０では、ＵＥ１０は、次のオン持続時間２１０と関連する再伝送ウィンドウ２３０が開始する時および終了する時を決定する。ブロック３６５では、ＵＥ１０は、周期的ＣＱＩ制御信号伝送を開始するように、次のスケジュールされたオン持続時間２１０に先行するＣＱＩ報告時間間隔を識別または選択する。上記のブロック３１５に関して説明されるように、ＵＥ１０は、いくつかの異なる基準に従ってＣＱＩ報告時間間隔を選択し得、その基準の全ても、方法３５０によって検討される。
【００３０】
ブロック３７０では、ＵＥ１０は、選択されたＣＱＩ報告時間間隔２５０でＣＱＩ制御信号を伝送する。実施形態では、ブロック３７０の処理は、待機プロセスまたは休止プロセスを含み得、プロセス３５０は、適切な時に、例えば、選択されたＣＱＩ報告時間間隔２５０の時に、ブロック３７０を実行するのみである。ブロック３７５では、オン持続時間２１０が完了していなければ、方法３５０はブロック３７０に戻る。ブロック３７０および３７５を通してループすることによって、ＵＥ１０は、ＥＮＢ２０にＣＱＩ制御信号を周期的に伝送する。ある実施形態では、ＵＥ１０は、ＣＱＩ制御信号の各新規伝送について、ＣＱＩ値および／または情報を再決定することが理解される。ＵＥ１０は、割り当てられたＣＱＩ報告リソースにわたって、ほぼＣＱＩ報告時間間隔２５０の割り当てられた時間にＣＱＩ制御信号を伝送することも理解される。
【００３１】
ブロック３７５では、オン持続時間２１０が完了していれば、処理はブロック３８０に進む。ブロック３８０では、ＵＥ１０は、周期的ＣＱＩ制御信号伝送を開始または再開するように、再伝送ウィンドウ２３０に先行するＣＱＩ報告時間間隔を識別または選択する。上記のブロック３１５に関して説明されるように、ＵＥ１０は、いくつかの異なる基準に従ってＣＱＩ報告時間間隔を選択し得、その基準の全ても、方法３５０によって検討される。
【００３２】
ブロック３８５では、ＵＥ１０は、選択されたＣＱＩ報告時間間隔２５０でＣＱＩ制御信号を伝送する。実施形態では、ブロック３８５の処理は、待機プロセスまたは休止プロセスを含み得、プロセス３５０は、適切な時に、例えば、選択されたＣＱＩ報告時間間隔２５０の時に、ブロック３８５を実行するのみである。ブロック３９０では、再伝送ウィンドウ２３０が完了していなければ、方法３５０はブロック３８５に戻る。ブロック３８５および３９０を通してループすることによって、ＵＥ１０は、ＥＮＢ２０にＣＱＩ制御信号を周期的に伝送する。ある実施形態では、ＵＥ１０は、ＣＱＩ制御信号の各新規伝送について、ＣＱＩ値および／または情報を再決定することが理解される。ＵＥ１０は、割り当てられたＣＱＩ報告リソースにわたって、ほぼＣＱＩ報告時間間隔２５０の割り当てられた時間にＣＱＩ制御信号を伝送することも理解される。
【００３３】
ブロック３９０では、再伝送ウィンドウ２３０が完了していれば、処理はブロック３５５に戻る。これは、方法３５０がブロック３７０に戻るまで、ＣＱＩ制御信号の周期的伝送を停止することを含むと理解することができる。
【００３４】
図６は、ＵＥ１０の実施形態を含む無線通信システムを図示する。ＵＥ１０は、本開示の側面を実装するために動作可能であるが、本開示は、これらの実装に限定されるべきではない。携帯電話として図示されているが、ＵＥ１０は、無線ハンドセット、ポケットベル、携帯端末（ＰＤＡ）、ポータブルコンピュータ、タブレットコンピュータ、またはラップトップコンピュータを含む、種々の形態を成し得る。多くの好適なデバイスは、これらの機能のうちのいくつかまたは全てを組み合わせる。本開示のいくつかの実施形態では、ＵＥ１０は、ポータブル、ラップトップ、またはタブレットコンピュータ等の汎用コンピューティングデバイスではないが、むしろ、携帯電話、無線ハンドセット、ポケットベル、ＰＤＡ、または車両に搭載される電気通信デバイス等の特殊用途通信デバイスである。別の実施形態では、ＵＥ１０は、ポータブル、ラップトップ、または他のコンピューティングデバイスであり得る。ＵＥ１０は、ゲーム、在庫制御、ジョブ制御、および／またはタスク管理機能等の特殊活動をサポートし得る。
【００３５】
ＵＥ１０は、ディスプレイ４０２を含む。ＵＥ１０はまた、ユーザによる入力のために、概して４０４と呼ばれる、タッチセンサ式表面、キーボード、または他の入力キーも含む。キーボードは、ＱＷＥＲＴＹ、Ｄｖｏｒａｋ、ＡＺＥＲＴＹ、および順列型等の完全または簡略英数字キーボード、または電話用キーパッドと関連するアルファベット文字を伴う従来のテンキーであり得る。入力キーは、トラックホイール、終了またはエスケープキー、トラックボール、およびさらなる入力機能を提供するように内向きに押下され得る他のナビゲーションまたは機能キーを含み得る。ＵＥ１０は、ユーザ選択用オプション、ユーザ作動用制御、および／またはユーザ指示用カーソルあるいは他のインジケータを提供し得る。
【００３６】
ＵＥ１０はさらに、ダイヤルするための数字またはＵＥ１０の動作を構成するための種々のパラメータ値を含む、ユーザからのデータ入力を受け取ってもよい。ＵＥ１０はさらに、ユーザコマンドに応答して、１つ以上のソフトウェアまたはファームウェアアプリケーションを実行し得る。これらのアプリケーションは、ユーザ交信に応答して、種々のカスタマイズされた機能を果たすように、ＵＥ１０を構成し得る。加えて、ＵＥ１０は、例えば、無線基地局、無線アクセスポイント、またはピアＵＥ１０から、無線でプログラムおよび／または構成され得る。
【００３７】
ＵＥ１０によって実行可能な種々のアプリケーションの中には、ディスプレイ４０２がウェブページを示すことを可能にするウェブブラウザがある。ウェブページは、無線ネットワークアクセスノード、携帯電話の基地局、ピアＵＥ１０、あるいは任意の他の無線通信ネットワークまたはシステム４００との無線通信を介して取得され得る。ネットワーク４００は、インターネット等の有線ネットワーク４０８に連結される。無線リンクおよび優先ネットワークを介して、ＵＥ１０は、サーバ４１０等の種々のサーバ上の情報にアクセスできる。サーバ４１０は、ディスプレイ４０２上に示され得る、コンテンツを提供し得る。代替として、ＵＥ１０は、リレー型またはホップ型の接続において仲介の役割を果たすピアＵＥ１０を通して、ネットワーク４００にアクセスできる。
【００３８】
図７は、ＵＥ１０のブロック図を示す。ＵＥ１０の種々の公知の構成要素が描写されているが、ある実施形態では、記載された構成要素の一部および／または記載されていない追加構成要素が、ＵＥ１０に含まれ得る。ＵＥ１０は、デジタル信号プロセッサ（ＤＳＰ）５０２およびメモリ５０４を含む。示されるように、ＵＥ１０はさらに、アンテナおよびフロントエンドユニット５０６、無線周波数（ＲＦ）送受信機５０８、アナログベースバンド処理ユニット５１０、マイクロホン５１２、イヤホンスピーカ５１４、ハンドセットポート５１６、入／出力インターフェース５１８、可撤性メモリカード５２０、ユニバーサルシリアルバス（ＵＳＢ）ポート５２２、近距離無線通信サブシステム５２４、アラート５２６、キーパッド５２８、タッチセンサ式表面を含み得る液晶ディスプレイ（ＬＣＤ）５３０、ＬＣＤコントローラ５３２、電荷結合素子（ＣＣＤ）カメラ５３４、カメラコントローラ５３６、および全地球測位システム（ＧＰＳ）センサ５３８を含み得る。ある実施形態では、ＤＳＰ５０２は、入／出力インターフェース５１８を通過せずに、メモリ５０４と直接通信し得る。
【００３９】
ＤＳＰ５０２、あるいは何らかの他の形態のコントローラまたは中央処理ユニットは、メモリ５０４に記憶されるか、またはＤＳＰ５０２自体内に含まれるメモリに記憶される、内蔵ソフトウェアまたはファームウェアに従って、ＵＥ１０の種々の構成要素を制御するように動作する。内蔵ソフトウェアまたはファームウェアに加えて、ＤＳＰ５０２は、メモリ５０４に記憶されるか、または可撤性メモリカード５２０のようなポータブルデータ記憶媒体等の情報搬送媒体を介して、もしくは有線または無線ネットワーク通信を介して利用可能となる、他のアプリケーションを実行し得る。アプリケーションソフトウェアは、所望の機能性を提供するようにＤＳＰ５０２を構成する、コンパイルされた一式の機械可読命令を備えてもよく、または、アプリケーションソフトウェアは、ＤＳＰ５０２を間接的に構成するようにインタープリタまたはコンパイラによって処理される、高レベルソフトウェア命令であり得る。
【００４０】
アンテナおよびフロントエンドユニット５０６は、無線信号と電気信号とを変換するように提供され得、ＵＥ１０が、セルラーネットワークまたは何らかの他の利用可能な無線通信ネットワークから、あるいはピアＵＥ１０からの情報を送受信することを可能にする。ある実施形態では、アンテナおよびフロントエンドユニット５０６は、ビーム形成および／または多重入出力（ＭＩＭＯ）動作をサポートするように、複数のアンテナを含み得る。当業者に公知であるように、ＭＩＭＯ動作は、困難なチャネル条件を克服し、および／またはチャネルスループットを増加させるために使用することができる、空間的多様性を提供し得る。アンテナおよびフロントエンドユニット５０６は、アンテナ同調および／またはインピーダンス整合構成要素、ＲＦ電力増幅器、および／または低雑音増幅器を含み得る。
【００４１】
ＲＦ送受信機５０８は、周波数偏移、受信したＲＦ信号のベースバンドへの変換、およびベースバンド伝送信号のＲＦへの変換を提供する。いくつかの説明では、無線送受信機またはＲＦ送受信機は、変調／復調、符号化／復号化、インターリービング／デインタリービング、拡散／逆拡散、逆フーリエ変換（ＩＦＦＴ）／高速フーリエ変換（ＦＦＴ）、周期的接頭辞付加／除去、および他の信号処理機能等の、他の信号処理機能性を含むと理解され得る。明確にする目的で、本明細書の説明は、この信号処理の説明をＲＦおよび／または無線段階から分離し、その信号処理をアナログベースバンド処理ユニット５１０および／またはＤＳＰ５０２あるいは他の中央処理ユニットに概念的に配分する。いくつかの実施形態では、ＲＦ送受信機５０８、アンテナおよびフロントエンド５０６の複数部分、ならびにアナログベースバンド処理ユニット５１０は、１つ以上の処理ユニットおよび／または特定用途向け集積回路（ＡＳＩＣ）に組み入れられ得る。
【００４２】
アナログベースバンド処理ユニット５１０は、入力および出力の種々のアナログ処理、例えば、マイクロホン５１２およびハンドセット５１６からの入力、ならびにイヤホン５１４およびハンドセット５１６への出力のアナログ処理を提供し得る。そのためには、アナログベースバンド処理ユニット５１０は、ＵＥが携帯電話として使用されることを可能にする、内臓マイクロホン５１２およびイヤホンスピーカ５１４に接続するためのポートを有し得る。アナログベースバンド処理ユニット５１０はさらに、ハンドセットまたは他のハンズフリーマイクロホンおよびスピーカ構成に接続するためのポートを含み得る。アナログベースバンド処理ユニット５１０は、１つの信号方向では、デジタル／アナログ変換を、反対の信号方向では、アナログ／デジタル変換を提供し得る。いくつかの実施形態では、アナログベースバンド処理ユニット５１０の機能性の少なくとも一部は、デジタル処理構成要素によって、例えば、ＤＳＰ５０２によって、または他の中央処理ユニットによって提供され得る。
【００４３】
ＤＳＰ５０２は、変調／復調、符号化／復号化、インターリービング／デインタリービング、拡散／逆拡散、逆フーリエ変換（ＩＦＦＴ）／高速フーリエ変換（ＦＦＴ）、周期的接頭辞付加／除去、および無線通信に付随する他の信号処理機能を行ない得る。ある実施形態では、例えば、符号分割多重アクセス方式（ＣＤＭＡ）技術用途では、伝送機機能の場合、ＤＳＰ５０２は、変調、符号化、インターリービング、および拡散を行ない得、受信機機能の場合、ＤＳＰ５０２は、逆拡散、デインタリービング、復号化、および復調を行ない得る。別の実施形態では、例えば、直交周波数分割多重アクセス（ＯＦＤＭＡ）技術用途では、送信機機能について、ＤＳＰ５０２は、変調、符号化、インターリービング、逆フーリエ変換、および周期的接頭辞付加を行ない得、受信機機能について、ＤＳＰ５０２は、周期的接頭辞除去、高速フーリエ変換、デインタリービング、復号化、および復調を行ない得る。他の無線技術用途では、さらに他の信号処理機能および信号処理機能の組み合わせが、ＤＳＰ５０２によって行なわれ得る。
【００４４】
ＤＳＰ５０２は、アナログベースバンド処理ユニット５１０を介して無線ネットワークと通信し得る。いくつかの実施形態では、通信は、インターネット接続を提供し得、ユーザがインターネット上のコンテンツへのアクセスを獲得すること、および電子メールまたはテキストメッセージを送受信することを可能にし得る。入／出力インターフェース５１８は、ＤＳＰ５０２と種々のメモリおよびインターフェースとを相互接続する。メモリ５０４および可撤性メモリカード５２０は、ＤＳＰ５０２の動作を構成するソフトウェアおよびデータを提供し得る。インターフェースの中には、ＵＳＢインターフェース５２２および短距離無線通信サブシステム５２４があり得る。ＵＳＢインターフェース５２２は、ＵＥ１０を充電するために使用され得、また、ＵＥ１０がパーソナルコンピュータまたは他のコンピュータシステムと情報を交換するように周辺デバイスとして機能することを可能にし得る。近距離無線通信サブシステム５２４は、赤外線ポート、ブルートゥースインターフェース、ＩＥＥＥ  ８０２．１１対応無線インターフェース、または任意の他の近距離無線通信サブシステムを含み得、それは、ＵＥ１０が他の近くのモバイルデバイスおよび／または無線基地局と無線通信することを可能にし得る。
【００４５】
入／出力インターフェース５１８はさらに、トリガされると、例えば、ベルを鳴らす、メロディを再生する、または振動することによって、ＵＥ１０にユーザへ通知を提供させる、アラート５２６にＤＳＰ５０２を接続し得る。アラート５２６は、無音で振動することによって、または特定の発呼者に対して、特定の予め割り当てられたメロディを再生することによって、着信呼出、新しいテキストメッセージ、および予約リマインダ等の種々のイベントのうちのいずれかをユーザに警告するための機構としての役割を果たし得る。
【００４６】
キーパッド５２８は、インターフェース５１８を介してＤＳＰ５０２に連結し、ユーザが選択し、情報を入力し、および別様にＵＥ１０に入力を提供するための１つの機能を提供する。キーボードは、ＱＷＥＲＴＹ、Ｄｖｏｒａｋ、ＡＺＥＲＴＹ、および順列型等の完全または簡略英数字キーボード、または電話用キーパッドと関連するアルファベット文字を伴う従来のテンキーであり得る。入力キーは、トラックホイール、終了またはエスケープキー、トラックボール、およびさらなる入力機能を提供するように内向きに押下され得る他のナビゲーションあるいは機能キーを含み得る。別の入力機構は、タッチスクリーン能力を含み、また、テキストおよび／またはグラフィックをユーザに表示し得る、ＬＣＤ５３０であり得る。ＬＣＤコントローラ５３２は、ＤＳＰ５０２をＬＣＤ５３０に連結する。
【００４７】
ＣＣＤカメラ５３４は、装備されている場合、ＵＥ１０がデジタル写真を撮影することを可能にする。ＤＳＰ５０２は、カメラコントローラ５３６を介してＣＣＤカメラ５３４と通信する。別の実施形態では、電荷結合素子カメラ以外の技術に従って動作するカメラが採用され得る。ＧＰＳセンサ５３８は、全地球測位システム信号を復号化するようにＤＳＰ５０２に連結され、それにより、ＵＥ１０がその位置を決定することを可能にする。種々の他の周辺機器も、追加機能、例えば、無線およびテレビ受信を提供するように含まれ得る。
【００４８】
図８は、ＤＳＰ５０２によって実装され得るソフトウェア環境６０２を図示する。ＤＳＰ５０２は、ソフトウェアの他の部分が動作するプラットフォームを提供する、オペレーティングシステムドライバ６０４を実行する。オペレーティングシステムドライバ６０４は、無線デバイスハードウェアのためのドライバに、アプリケーションソフトウェアにアクセス可能な標準インターフェースを提供する。オペレーティングシステムドライバ６０４は、ＵＥ１０上で稼働するアプリケーションの間で制御を転送する、アプリケーション管理サービス（「ＡＭＳ」）６０６を含む。図８には、ウェブブラウザアプリケーション６０８、メディアプレイヤアプリケーション６１０、およびＪａｖａ（登録商標）アプレット６１２も示されている。ウェブブラウザアプリケーション６０８は、ウェブブラウザとして動作するようにＵＥ１０を構成し、ユーザがフォームに情報を入力し、リンクを選択してウェブページを読み出し、閲覧することを可能にする。メディアプレイヤアプリケーション６１０は、音声または視聴覚メディアを読み出し、再生するように、ＵＥ１０を構成する。Ｊａｖａ（登録商標）アプレット６１２は、ゲーム、ユーティリティ、および他の機能性を提供するように、ＵＥ１０を構成する。構成要素６１４は、制御信号管理に関する機能性を提供する場合がある。
【００４９】
上記で説明されるシステム１００のいくつかの側面は、それに課される必要作業負荷を処理するために十分な処理電力、メモリリソース、およびネットワークスループット能力を伴う、任意の汎用コンピュータ上に実装され得る。図９は、本明細書で開示される１つ以上の実施形態の側面を実装するために好適である、典型的な汎用コンピュータシステムを図示する。コンピュータシステム６８０は、２次記憶装置６８４、読み出し専用メモリ（ＲＯＭ）６８６、ランダムアクセスメモリ（ＲＡＭ）６８８、入／出力（Ｉ／Ｏ）デバイス６９０、およびネットワーク接続デバイス６９２を含む、メモリデバイスと通信しているプロセッサ６８２（中央処理ユニットまたはＣＰＵと呼ばれ得る）を含む。
【００５０】
２次記憶装置６８４は、典型的には、１つ以上のディスクドライブまたはテープドライブから成り、ＲＡＭ６８８が全作業データを保持するほど大容量ではない場合に、データの不揮発性記憶のために、およびオーバーフローデータ記憶デバイスとして使用される。２次記憶装置６８４は、ＲＡＭ６８８にロードされるプログラムが実行のために選択されると、そのようなプログラムを記憶するために使用され得る。ＲＯＭ６８６は、命令と、おそらくプログラム実行中に読み込まれるデータとを記憶するために使用される。ＲＯＭ６８６は、典型的には、２次記憶装置のより大容量のメモリ容量と比較して小さいメモリ容量を有する、不揮発性メモリデバイスである。ＲＡＭ６８８は、揮発性データと、おそらく命令とを記憶するために使用される。ＲＯＭ６８６およびＲＡＭ６８８の両方へのアクセスは、典型的には、２次記憶装置６８４へのアクセスよりも高速である。
【００５１】
Ｉ／Ｏデバイス６９０は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、または他の周知の入力デバイスを含み得る。
【００５２】
ネットワーク接続デバイス６９２は、モデム、モデムバンク、イーサネット（登録商標）カード、ユニバーサルシリアルバス（ＵＳＢ）インターフェースカード、シリアルインターフェース、トークンリングカード、光ファイバ分散データインターフェース（ＦＤＤＩ）カード、無線ローカルエリアネットワーク（ＷＬＡＮ）カード、符号分割多重アクセス方式（ＣＤＭＡ）および／または汎欧州デジタル移動電話方式（ＧＳＭ）無線送受信機カード等の無線送受信機カード、ならびに他の周知のネットワークデバイスの形態を成し得る。これらのネットワーク接続デバイス６９２は、プロセッサ６８２がインターネットまたは１つ以上のイントラネットと通信することを可能にし得る。そのようなネットワーク接続によって、プロセッサ６８２は、上述の方法のステップを行なう過程において、ネットワークから情報を受信する場合があり、またはネットワークに情報を出力する場合があることが想定される。しばしば、プロセッサ６８２を使用して実行される命令シーケンスとして表される、そのような情報は、例えば、搬送波において具現化されるコンピュータデータ信号の形態で、ネットワークから受信され、かつネットワークに出力され得る。ネットワーク接続デバイス６９２はまた、当業者に周知であるように、無線で、または別様に信号を送受信するための１つ以上の伝送機および受信機を含み得る。
【００５３】
例えば、プロセッサ６８２を使用して実行されるデータまたは命令を含み得る、そのような情報は、例えば、コンピュータデータベースバンド信号または搬送波において具現化される信号の形態で、ネットワークから受信され、かつネットワークに出力され得る。ネットワーク接続デバイス６９２によって生成される、ベースバンド信号または搬送波において具現化される信号は、導体の表面の中または上、同軸ケーブルの中、導波管の中、光媒体、例えば、光ファイバの中、または空気あるいは自由空間中で、伝搬し得る。ベースバンド信号または搬送波に組み込まれる信号に含まれた情報は、情報を処理または生成するか、あるいは情報を伝送または受信するために望ましい異なるシーケンスに従って、順序付けられ得る。ベースバンド信号または搬送波に組み込まれる信号、あるいは現在使用されているか、または今後開発される他の種類の信号は、本明細書では伝送媒体と呼ばれ、当業者に周知のいくつかの方法に従って生成され得る。
【００５４】
プロセッサ６８２は、ハードディスク、フロッピー（登録商標）ディスク、光ディスク（これらの種々のディスクをベースとするシステムは全て、２次記憶装置６８４とみなされ得る）、ＲＯＭ６８６、ＲＡＭ６８８、またはネットワーク接続デバイス６９２からアクセスする、命令、コード、コンピュータプログラム、スクリプトを実行する。したがって、命令は、プロセッサによって実行されるものとして論議され得るが、命令は、１つまたは複数のプロセッサによって、同時に、連続的に、または別様に実行され得る。
【００５５】
以下は、あらゆる目的で参照することにより本明細書に組み込まれる。３ｒｄ  Ｇｅｎｅｒａｔｉｏｎ  Ｐａｒｔｎｅｒｓｈｉｐ  Ｐｒｏｊｅｃｔ  （３ＧＰＰ）  Ｔｅｃｈｎｉｃａｌ  Ｓｐｅｃｉｆｉｃａｔｉｏｎ  （ＴＳ）  ３６．３００，  ３ＧＰＰ  ＴＳ  ３６．３２１。
【００５６】
いくつかの実施形態が本開示で提供されているが、開示されたシステムおよび方法は、本開示の精神または範囲から逸脱することなく、多くの他の具体的な形態で具現化され得ることを理解されたい。本実施例は、制限的はなく例証的とみなされるものであり、本明細書で与えられる詳細に限定されることを意図しない。例えば、種々の要素または構成要素は、別のシステムに組み入れられるか、または統合され得、または、ある特徴が省略されるか、あるいは実装されなくてもよい。
【００５７】
また、別々または別個のものとして、種々の実施形態で説明および例証される技術、システム、サブシステム、および方法も、本開示の範囲から逸脱することなく、他のシステム、モジュール、技術、または方法と組み合わされるか、または一体化され得る。相互に連結または直接連結されるか、あるいは通信するものとして、図示もしくは論議される他の項目は、電気的であろうと、機械的であろうと、または他の方法であろうと、何らかのインターフェース、デバイス、または中間構成要素を通して、間接的に連結されるか、または通信し得る。変更、置換、および改変の他の実施例が、当業者によって究明可能であり、本明細書で開示される精神および範囲から逸脱することなく行うことができる。
【図１】
2011518470.tif 000003
【図２】
2011518470.tif 000004
【図３ａ】
2011518470.tif 000005
【図３ｂ】
2011518470.tif 000006
【図３ｃ】
2011518470.tif 000007
【図４ａ】
2011518470.tif 000008
【図４ｂ】
2011518470.tif 000009
【図５ａ】
2011518470.tif 000010
【図５ｂ】
2011518470.tif 000011
【図６】
2011518470.tif 000012
【図７】
2011518470.tif 000013
【図８】
2011518470.tif 000014
【図９】
2011518470.tif 000015
【国際調査報告】
2011518470.tif 000016
2011518470.tif 000017